(57)【特許請求の範囲】
【請求項１】
通常トナーおよび特殊トナーを所定の濃度で形成したトナー画像を媒体に形成し、前記トナー画像を所定の定着温度で前記媒体に定着させる定着動作を所定の定着回数として印刷を行う印刷部と、
前記印刷部により、前記特殊トナーを用いて第１の印刷条件を変化させながら印刷した画像に基づく第１の設定と、前記特殊トナーを用いて第２の印刷条件を変化させながら印刷した画像に基づく第２の設定と、前記特殊トナーを用いて第３の印刷条件を変化させながら印刷した画像に基づく第３の設定とを受付ける調整部と、
を有し、
前記第１の設定は、前記第１の印刷条件としての前記特殊トナーの濃度を変化させて印刷した第１の画像に基づく設定を含み、
前記第２の設定は、前記第２の印刷条件としての前記定着温度を変化させて印刷した第２の画像に基づく設定を含み、
前記第３の設定は、前記第３の印刷条件としての前記定着回数を変化させて印刷した第３の画像に基づく設定を含み、
前記特殊トナーは、紫外線に応答して発光し、可視光に対して透明なトナーであり、
前記印刷部は、前記媒体に形成する前記特殊トナーを含むトナー画像の濃度を前記第１の設定を用いて変更するとともに、該特殊トナーを含むトナー画像の定着動作を前記第２の設定および前記第３の設定を用いて変更して該特殊トナーを含むトナー画像を前記媒体に定着させることを特徴とする画像処理装置。
【請求項２】
請求項１に記載の画像処理装置において、
前記調整部で設定された前記第１の設定としての濃度、前記第２の設定としての定着温度、および前記第３の設定としての定着回数の情報を記憶する設定情報格納部を有し、
前記印刷部は、前記設定情報格納部に記憶された前記濃度、前記定着温度、および前記定着回数の情報に基づいて印刷を行うことを特徴とする画像処理装置。
【請求項３】
請求項１または請求項２に記載の画像処理装置において、
前記第１の画像の形式を表す第１の形式情報と、前記第２の画像の形式を表す第２の形式情報と、前記第３の画像の形式を表す第３の形式情報とを記憶する形式情報記憶部を有し、
前記印刷部は、前記形式情報記憶部に記憶された前記第１の形式情報、前記第２の形式情報、および前記第３の形式情報に基づいて前記第１の画像、前記第２の画像、および前記第３の画像の印刷を行うことを特徴とする画像処理装置。
【請求項４】
請求項１から請求項３のいずれかに記載の画像処理装置において、
前記第１の画像は、前記特殊トナーで形成された複数色の画像であることを特徴とする画像処理装置。
【請求項５】
請求項１から請求項４のいずれかに記載の画像処理装置において、
前記第１の画像は、前記特殊トナーの濃度を変化させた画像と、前記通常トナーで形成された複数色の画像とが重ねられた画像であることを特徴とする画像処理装置。
【請求項６】
請求項５に記載の画像処理装置において、
前記通常トナーで形成された複数色の画像は、白色、黒色、青色、赤色、および黄色の画像を含むことを特徴とする画像処理装置。
【請求項７】
請求項１から請求項６のいずれかに記載の画像処理装置において、
前記濃度は、前記特殊トナーの色毎に設定され、
前記印刷部は、設定された色毎の前記濃度で形成した前記特殊トナーを含むトナー画像を媒体に形成することを特徴とする画像処理装置。
【請求項８】
通常トナー、および紫外線に応答して発光し、可視光に対して透明な特殊トナーを所定の濃度で形成したトナー画像を媒体に形成し、前記トナー画像を所定の定着温度で前記媒体に定着させる定着動作を所定の定着回数として印刷を行う画像処理装置の画像処理調整方法において、
前記特殊トナーの濃度を変化させて第１の画像を印刷するステップと、
前記定着温度を変化させて第２の画像を印刷するステップと、
前記定着回数を変化させて第３の画像を印刷するステップと、
前記第１の画像に基づいて第１の設定を受付けるステップと、
前記第２の画像に基づいて第２の設定を受付けるステップと、
前記第３の画像に基づいて第３の設定を受付けるステップと、
前記媒体に形成する前記特殊トナーを含むトナー画像の濃度を前記第１の設定を用いて変更するとともに、該特殊トナーを含むトナー画像の定着動作を前記第２の設定および前記第３の設定を用いて変更して該特殊トナーを含むトナー画像を前記媒体に定着させて印刷を行うステップと、
を有することを特徴とする画像処理調整方法。
【請求項９】
請求項８に記載の画像処理調整方法において、
前記第１の画像は、前記特殊トナーの濃度を変化させた画像と、前記通常トナーで形成された複数色の画像とが重ねられた画像であることを特徴とする画像処理調整方法。
【請求項１０】
請求項９に記載の画像処理調整方法において、
前記通常トナーで形成された複数色の画像は、白色、黒色、青色、赤色、および黄色の画像を含むことを特徴とする画像処理調整方法。
【発明の詳細な説明】
【技術分野】
【０００１】
本発明は、特殊トナーを使用する画像処理装置および画像処理調整方法に関する。
【背景技術】
【０００２】
従来の画像処理装置は、特殊トナーとしての透明トナーを用いた印刷物を作成する際、媒体上に同量の透明トナーを付着させたとしても印刷物の表面の光沢は媒体の表面粗さに支配されるため、透明トナーを媒体に付着させる前に、媒体の表面粗さを計測し、媒体の表面粗さに応じて透明トナーの付着量を特定して印刷を行うようにしている（例えば、特許文献１参照）。
【先行技術文献】
【特許文献】
【０００３】
【特許文献１】特開２０１２−８３６６５号公報
【発明の概要】
【発明が解決しようとする課題】
【０００４】
しかしながら、従来の技術においては、媒体の表面粗さによって特殊トナーとしての透明トナーの付着量が決定されるため、セキュリティ機能の付与やデザインオブジェクトの付与などユーザによる印刷物の使用目的、また表面コーティングの有無等の印刷物の表面処理状態等によってはユーザが所望する印刷結果が得られない場合があるという問題がある。
本発明は、このような問題を解決することを課題とし、特殊トナーを使用する印刷において、ユーザ所望の印刷結果を得られるようにすることを目的とする。
【課題を解決するための手段】
【０００５】
そのため、本発明は、通常トナーおよび特殊トナーを所定の濃度で形成したトナー画像を媒体に形成し、前記トナー画像を所定の定着温度で前記媒体に定着させる定着動作を所定の定着回数として印刷を行う印刷部と、前記印刷部により、前記特殊トナーを用いて第１の印刷条件を変化させながら印刷した画像に基づく第１の設定と、前記特殊トナーを用いて第２の印刷条件を変化させながら印刷した画像に基づく第２の設定と、前記特殊トナーを用いて第３の印刷条件を変化させながら印刷した画像に基づく第３の設定とを受付ける調整部と、を有し、前記第１の設定は、前記第１の印刷条件としての前記特殊トナーの濃度を変化させて印刷した第１の画像に基づく設定を含み、前記第２の設定は、前記第２の印刷条件としての前記定着温度を変化させて印刷した第２の画像に基づく設定を含み、前記第３の設定は、前記第３の印刷条件としての前記定着回数を変化させて印刷した第３の画像に基づく設定を含み、前記特殊トナーは、紫外線に応答して発光し、可視光に対して透明なトナーであり、前記印刷部は、前記媒体に形成する前記特殊トナーを含むトナー画像の濃度を前記第１の設定を用いて変更するとともに、該特殊トナーを含むトナー画像の定着動作を前記第２の設定および前記第３の設定を用いて変更して該特殊トナーを含むトナー画像を前記媒体に定着させることを特徴とする。
【発明の効果】
【０００６】
このようにした本発明は、特殊トナーを使用する印刷において、ユーザ所望の印刷結果を得ることができるという効果が得られる。
【図面の簡単な説明】
【０００７】
【図１】第１の実施例における画像処理装置の構成を示すブロック図
【図２】第１の実施例における印刷機能部の構成を示すブロック図
【図３】第１の実施例におけるジョブ投入情報の説明図
【図４】第１の実施例における印刷設定のサンプル画像の説明図
【図５】第１の実施例におけるＵＶトナーのグロスの説明図
【図６】第１の実施例における印刷ジョブ処理の流れを示すフローチャート
【図７】第１の実施例における印刷処理の流れを示すフローチャート
【図８】第２の実施例における印刷設定の説明図
【図９】第２の実施例における印刷設定のテストパターンの説明図
【発明を実施するための形態】
【０００８】
以下、図面を参照して本発明による画像処理装置および画像処理調整方法の実施例を説明する。
【実施例１】
【０００９】
図１は第１の実施例における画像処理装置の構成を示すブロック図である。
図１において、画像処理装置１０１は、例えば複合機（ＭＦＰ：ＭｕｌｔｉＦｕｎｃｔｉｏｎ  Ｐｅｒｉｐｈｅｒａｌ）等であり、ＣＭＹＫ（Ｃ：シアン、Ｍ：マゼンタ、Ｙ：イエロー、Ｋ：黒）の各色のトナー（以下、「通常トナー」という。）および特殊トナーとしてＲＧＢ（Ｒ：赤、Ｇ：緑、Ｂ：青）の各色のＵＶ（ＵｌｔｒａＶｉｏｌｅｔ）トナーを使用するものである。ＵＶトナーは、紫外線に応答して発光し、可視光に対して透明なトナーである。
【００１０】
画像処理装置１０１は、印刷媒体を収容する給紙カセットから印刷媒体を給紙する給紙部と、給紙した印刷媒体にＣＭＹＫの各色の通常トナーおよびＲＧＢの各色のＵＶトナーによるトナー画像を形成する画像形成部と、印刷媒体に転写されたトナーを温度と圧力で定着させる定着部と、トナーが定着された印刷媒体を外部に排出する排出部とを備えたものである。
【００１１】
画像処理装置１０１は、通信部１０２と、通信制御部１０３と、通信指示認識部１０４と、操作パネル１０５と、パネル制御部１０６と、パネル指示認識部１０７と、アカウント管理部１０８と、ジョブ管理部１０９と、機能管理部１１０と、スキャナ機能部１１１と、ＦＡＸ機能部１１２と、媒体アクセス機能部１１３と、印刷機能部１１４と、Ｅｍａｉｌ機能部１１５と、レポート作成機能部１１６と、権限管理部１１８と、設定値管理部１１９と、ログ管理部１２０と、記憶部１２１とを有している。
【００１２】
通信部１０２は、通信用のプロトコルを搭載し、そのプロトコルを用いて外部の装置との間で情報の送受信等の通信を行うものである。この通信部１０２は、画像処理装置１０１において操作パネル１０５と同様に外部装置からの窓口に相当する。通信部１０２は、情報の転送において自発的に内容を伴う通信は行わず、上位層の指示に基づいて通信を行う。
【００１３】
通信部１０２は、例えばＵＳＢ（Ｕｎｉｖｅｒｓａｌ  Ｓｅｒｉａｌ  Ｂｕｓ）、ＩＥＥＥ１３９４等のローカルな通信の他、ネットワーク（ＬＡＮ、ＷＡＮ等）やファクシミリ（以下、「ＦＡＸ」という。）等のグローバルな通信を行う。また、通信部１０２は、主にハードウェアであり、ソフトウェアは一部のマイクロプログラムを含んでいる。マイクロプログラムとは、ハードウェアにダウンロードした専用プログラムであり、ハードウェアが実現する範囲の処理の一部を代行させるものである。
【００１４】
通信制御部１０３は、通信部１０２を動作させるソフトウェアである。この通信制御部１０３の役割は、通信部１０２で受信した情報を画像処理装置１０１内の上位層のソフトウェアへ転送し、また通信部１０２を制御し、上位層のソフトウェアから受け取った情報を外部装置へ送信することである。
【００１５】
指示認識部としての通信指示認識部１０４は、通信部１０２の上位層のソフトウェアであり、通信部１０２から転送された受信情報の解釈と、その解釈の結果、必要となった簡単な処理とを実行する。受信情報の解釈では、通信部１０２から転送された受信情報の中に含まれるコマンド（指令）を見つけ出し、そのコマンドを解析することにより当該コマンドで要求されている内容を把握する。簡単な処理とは、コマンドで要求されている処理の内容が簡単なもの（例えば、設定値の参照や変更等）である。
一方、通信指示認識部１０４は、受信情報の解釈の結果、複雑な処理が必要となった場合、ジョブ管理部１０９に受信情報を転送し、その処理を依頼する。複雑な処理とは、コマンドで要求されている処理の内容が複雑なもの（例えば、印刷等）である。
【００１６】
通信指示認識部１０４は、処理するコマンドにより、依頼元の権限を確認するため上位装置としての外部装置に認証情報を要求する。通信指示認識部１０４は、上位装置から認証情報が送付されると、その認証情報を用いて依頼元の認証を行い、権限照合が成功すると、上位装置から送信された認証情報のユーザ識別子を引数としてジョブ管理部１０９に処理を要求する。これにより、ジョブ管理部１０９は、依頼元のユーザを特定することができ、依頼された処理の実行可否を判断することが可能になる。なお、依頼元の認証は、設定値管理部１１９に存在する認証処理ＯＮ／ＯＦＦの設定値により制御され、設定値がＯＮのとき、認証を行い、設定値がＯＦＦのとき、認証を行わないようになっている。
【００１７】
操作パネル１０５は、画像処理装置１０１内に内部バスインターフェースで直接接続された入出力装置である。出力装置は、ＬＣＤ（Ｌｉｑｕｉｄ  Ｃｒｙｓｔａｌ  Ｄｉｓｐｌａｙ）パネルやＬＥＤ（Ｌｉｇｈｔ  Ｅｍｉｔｔｉｎｇ  Ｄｉｏｄｅ）等の表示装置である。ＬＣＤパネルは、様々なサイズのものがあるが、画像処理装置１０１に搭載されるものでは、ＶＧＡ（６４０×４８０ドット）のものや、それよりも小さいサイズのものがある。ＬＥＤは、数個程度が実装され、それぞれに意味を持たせて点灯／消灯させられる。入力装置は、パネルに設けられた操作ボタンやタッチパネル等である。また、操作パネル１０５は、主にハードウェアであり、ソフトウェアは一部のマイクロプログラムを含んでいる。
【００１８】
パネル制御部１０６は、操作パネル１０５を制御するソフトウェアである。操作パネル１０５で受付けたユーザの操作や画像処理装置１０１内で発生したイベントに反応して操作パネル１０５の表示を切り替える。ユーザの操作は、出力装置に表示した画面の移動や表示の変化等の画面操作と、値の選択や入力等の入力操作とがある。
【００１９】
パネル制御部１０６は、画面操作の処理を行い、入力操作の処理はパネル指示認識部１０７へ処理を依頼する。また、パネル制御部１０６は、画像処理装置１０１内で発生したイベントに応じて画像処理装置１０１の状態を表示するステータス表示の画面を表示する。パネル制御部１０６は、情報をビットマップ形式の画面データに変換して操作パネル１０５に転送し、画面の表示を行う。
【００２０】
指示認識部としてのパネル指示認識部１０７は、操作パネル１０５およびパネル制御部１０６を経由して通知されるユーザの操作情報を入力とし、ユーザの指示内容を認識するものである。パネル指示認識部１０７は、提供するサービスや機能をそれぞれ項目としてメニュー形式で表示させ、表示したメニューの中から項目をユーザに選択させる。サービスや機能には、ＣＯＰＹ（複写）、ＳｃａｎＴｏＥｍａｉｌ（スキャンした画像を電子メール（以下、「Ｅｍａｉｌ」という。））、ＳｃａｎＴｏＦＡＸ（スキャンした画像をファクシミリ送信する機能）等のサービスや設定値の変更等が存在する。
【００２１】
パネル指示認識部１０７は、認識したユーザの指示内容が簡単なもの（設定値の参照や変更等）である場合には直接処理を実行し、複雑なもの（印刷や読取等を含むサービスや機能等（以下、「ジョブ」という。））である場合はジョブとして処理する専用の処理が設けられているためジョブ管理部１０９に処理を依頼する。
【００２２】
また、入力されたユーザの操作情報には、選択したジョブの情報の他、そのジョブの実行に必要な付属情報も存在する。ジョブの実行に必要な付属情報には、ＳｃａｎＴｏＦＡＸ等のＦＡＸ送信であれば送信先電話番号、ＳｃａｎＴｏＥｍａｉｌ等のＥｍａｉｌ送信であれば送信先メールアドレス、ＣＯＰＹ等の印刷であれば解像度、色の濃さ、両面／片面印刷、印刷部数などがある。本実施例では、ジョブの実行に必要な付属情報を「ジョブ投入情報」と呼ぶものとし、その説明は後述する。
【００２３】
また、パネル指示認識部１０７は、処理するジョブにより、依頼元の権限を確認するため操作パネル１０５およびパネル制御部１０６を経由してユーザに認証情報を要求する。パネル指示認識部１０７は、ユーザにより認証情報が入力されると、その認証情報を用いてユーザの認証を行い、権限照合が成功すると、ユーザにより入力された認証情報のユーザ識別子を引数としてジョブ管理部１０９に処理を要求する。これにより、ジョブ管理部１０９は、ユーザを特定することができ、依頼されたジョブの処理の実行可否を判断することが可能になる。なお、ユーザの認証は、設定値管理部１１９に存在する認証処理ＯＮ／ＯＦＦの設定値により制御され、設定値がＯＮのとき、認証を行い、設定値がＯＦＦのとき、認証を行わないようになっている。
【００２４】
ジョブ管理部１０９は、ユーザから要求されたジョブを通信指示認識部１０４またはパネル指示認識部１０７を経由して受付け、受付けたジョブを実行するための処理部を選択してジョブの実行を指示する。また、ジョブ管理部１０９は、処理部のジョブの実行状態を監視し、処理の終了を判断する。さらに、ジョブ管理部１０９は、ジョブに対する操作指示も受付け、処理する。
【００２５】
ジョブ管理部１０９は、ジョブを受付けると、ジョブの依頼者がそのジョブを実行する権限を有しているか否かを確認する権限の照合処理を行う。ジョブ管理部１０９は、権限の照合処理を行った結果、ジョブの実行が可能である場合、そのジョブの所有者として照合したユーザ識別子をジョブに添付する。なお、自動で起動するローカルプリント等の内部処理から投入されたジョブの場合、権限の照合処理は行わず、ジョブを実行する。
【００２６】
ジョブ管理部１０９は、処理部のジョブの実行状態が、「ジョブ処理の開始待ち」、「ジョブ処理の実行中」、または「開始したジョブが異常終了」等であるかを監視する。また、ジョブ管理部１０９は、ジョブが正常に終了したか、異常で終了したか、異常で終了した場合は原因を監視する。
【００２７】
さらに、ジョブ管理部１０９は、ジョブに対する情報を管理し、ジョブに対する状態に問い合わせを受けると、その問い合わせに応答する。また、ジョブ管理部１０９は、ジョブに対する開始、一時停止、取消し、再開等の指示を受けると、これらの指示に応えジョブの開始、一時停止、取消し、再開等を行う。
なお、ジョブ管理部１０９は、問い合わせや指示を受けると、ジョブに添付されていたユーザ識別子を確認し、指示等したユーザがジョブの所有者であれば指示等を実行し、所有者でなければ指示等の実行を拒否するなどの対応を行う。
【００２８】
機能管理部１１０は、画像処理装置１０１内で保持する各機能部を管理するものである。機能管理部１１０は、ジョブ管理部１０９からの指示により、ジョブに機能部を割り当て、ジョブを処理させる。ジョブ管理部１０９がＳｃａｎＴｏＥｍａｉｌのようにユーザから要求された単位のジョブを扱うことに対し、機能管理部１１０は、Ｓｃａｎ処理とＥｍａｉｌ処理のように、ジョブを各機能部に割り当て、個々に管理する。このように、ジョブを各機能部に割り当てて実行することにより、機能部の組み合わせにより様々なジョブの実行が実現することができる。したがって、画像処理装置１０１内に保持し、管理する機能部の数を少なくすることができ、全体の制御が容易になる。
【００２９】
本実施例の画像処理装置１０１は、スキャナ機能部１１１、ＦＡＸ機能部１１２、媒体アクセス機能部１１３、印刷機能部１１４、Ｅｍａｉｌ機能部１１５、およびレポート作成機能部１１６を有するものとする。
スキャナ機能部１１１は、画像読取センサを備えたスキャナユニットを駆動して原稿を読取るスキャンを行い、原稿の画像データを生成する制御を行うものである。スキャナ機能部１１１は、スキャンのみに特化した動作を行う。したがって、スキャナ機能部１１１は、組み合わされる機能によって自らの動作を変えることはしない。なお、スキャナ機能部１１１は、動作した履歴情報をログ管理部１２０に保存する。
【００３０】
ＦＡＸ機能部１１２は、ファクシミリ受信およびファクシミリ送信を制御するものである。ＦＡＸ機能部１１２は、ファクシミリ受信した画像データをジョブ管理部１０９から与えられる記憶領域に保存または転送し、またジョブ管理部１０９から与えられる記憶領域に保存された画像データをファクシミリ送信する。ＦＡＸ機能部１１２は、ファクシミリ送受信のみに特化した動作を行う。したがって、ＦＡＸ機能部１１２は、組み合わされる機能によって自らの動作を変えることはしない。なお、ＦＡＸ機能部１１２は、動作した履歴情報をログ管理部１２０に保存する。
【００３１】
媒体アクセス機能部１１３は、可搬型の記憶媒体を画像処理装置１０１に装着するスロットを有し、装着された記憶媒体のデータを扱うものである。媒体アクセス機能部１１３は、記憶媒体からデータを読み出して後処理へ渡す処理および前処理から渡されたデータを記憶媒体へ書き込む処理を行う。可搬型の記憶媒体とは、ＵＳＢメモリ、メモリカード等の画像処理装置１０１に常時装着されていない記憶媒体であり、ユーザが所有してデータの運搬に使用するものである。
【００３２】
媒体アクセス機能部１１３は、記憶媒体へのデータアクセスのみに特化した動作を行う。したがって、媒体アクセス機能部１１３は、組み合わされる機能によって自らの動作を変えることはしない。なお、媒体アクセス機能部１１３は、動作した履歴情報をログ管理部１２０に保存する。
【００３３】
印刷機能部１１４は、記録媒体に画像を形成する印刷動作を制御し、機能管理部１１０から与えられるデータを印刷するものである。印刷機能部１１４は、例えば印刷工程において機能管理部１１０から与えられるデータに基づいて記録媒体にトナー画像を形成し、そのトナー画像を定着させた記憶媒体を排紙スタッカに排出する。印刷機能部１１４は、印刷のみに特化した動作を行う。したがって、印刷機能部１１４は、組み合わされる機能によって自らの動作を変えることはしない。なお、印刷機能部１１４は、動作した履歴情報をログ管理部１２０に保存する。
【００３４】
ここで、印刷機能部１１４を図２の第１の実施例における印刷機能部の構成を示すブロック図に基づいて説明する。
図２において、印刷機能部１１４は、ＰＤＬデータ受信部１５０と、ＰＤＬデータ解析部１５１と、カラーマッチング処理部１５２と、描画処理部１５３と、通常色図形描画部１５５と、通常色文字描画部１５６と、通常色イメージ描画部１５７と、ＵＶ色図形描画部１５８と、ＵＶ色文字描画部１５９と、ＵＶ色イメージ描画部１６０と、中間コード格納部１６１と、通常色用ＲＯＰ（ラスタオペレーション）情報格納部１６２と、通常色用カラー情報格納部１６３と、ＵＶ色用ＲＯＰ情報格納部１６４と、ＵＶ色用カラー情報格納部１６５と、通常色用印刷イメージ格納部１６６と、ＵＶ色用印刷イメージ格納部１６７と、印刷部１６８と、印刷色調整部１７０と、印刷色調整パターン記憶部１７１と、ＵＶ色用印刷パラメータ格納部１７２とを有している。
【００３５】
ＰＤＬデータ受信部１５０は、印刷機能部１１４が処理するデータとしてのＰＤＬ（Ｐａｇｅ  Ｄｅｓｃｒｉｐｔｉｏｎ  Ｌａｎｇｕａｇｅ）言語で記述されたデータ（以下、「ＰＤＬデータ」という。）を図１に示す機能管理部１１０から受け取るものである。
ＰＤＬデータ解析部１５１は、ＰＤＬデータ受信部１５０で受け取ったＰＤＬデータを解析し、ＰＤＬデータの指示に従ってディスプレイリストを作成する。ディスプレイリストは、ＰＤＬ言語を解釈して描画イメージを作成するための中間状態を表現したデータフォーマットであるため、本実施例では「中間データ」という。
【００３６】
ＰＤＬデータ解析部１５１は、ＰＤＬデータの解析結果からＵＶトナー印刷データが含まれると判断した場合、ＵＶ色用印刷パラメータ格納部１７２に格納されている印刷設定情報を印刷部１６８に送信するように指示する。
カラーマッチング処理部１５２は、ＰＤＬ言語で記述された標準的な色表現を、それぞれの装置で印刷する場合に機器固有の色表現能力の差を印刷結果に出さないように色情報を装置の能力に合わせて変換するものである。
【００３７】
中間コード格納部１６１は、ＰＤＬデータ解析部１５１が作成した中間データを格納しておく記憶領域を有するバッファ管理部である。
印刷イメージ生成部としての描画処理部１５３は、ＰＤＬデータ解析部１５１が作成した中間データから印刷イメージデータを作成するものである。描画処理部１５３は、通常色図形描画部１５５、通常色文字描画部１５６、通常色イメージ描画部１５７、ＵＶ色図形描画部１５８、ＵＶ色文字描画部１５９、またはＵＶ色イメージ描画部１６０に処理を依頼して、印刷イメージデータを作成する。描画処理部１５３は、各部に依頼した印刷イメージデータの作成が成功または失敗したかの最終判断を行う。
【００３８】
通常色図形描画部１５５は、ＰＤＬ言語で記述された通常色指定（通常トナーの色指定）の図形描画指示に従い、描画データを作成するものである。通常色図形描画部１５５は、作成途中の情報（描画データおよび通常色指定情報）を通常色用ＲＯＰ情報格納部１６２および通常色用カラー情報格納部１６３に格納する。また、通常色図形描画部１５５は、作成した描画データを通常色用印刷イメージ格納部１６６に格納する。
【００３９】
通常色文字描画部１５６は、ＰＤＬ言語で記述された通常色指定の文字描画指示に従い、描画データを作成するものである。通常色文字描画部１５６は、作成途中の情報（描画データおよび通常色指定情報）を通常色用ＲＯＰ情報格納部１６２および通常色用カラー情報格納部１６３に格納する。また、通常色文字描画部１５６は、作成した描画データを通常色用印刷イメージ格納部１６６に格納する。
【００４０】
通常色イメージ描画部１５７は、ＰＤＬ言語で記述された通常色指定のイメージ描画指示に従い、描画データを作成するものである。通常色イメージ描画部１５７は、作成途中の情報（描画データおよび通常色指定情報）を通常色用ＲＯＰ情報格納部１６２および通常色用カラー情報格納部１６３に格納する。また、通常色イメージ描画部１５７は、作成した描画データを通常色用印刷イメージ格納部１６６に格納する。
【００４１】
ＵＶ色図形描画部１５８は、ＰＤＬ言語で記述されたＵＶ色指定（ＵＶトナーの色指定）の図形描画指示に従い、描画データを作成するものである。ＵＶ色図形描画部１５８は、作成途中の情報（描画データおよびＵＶ色指定情報）をＵＶ色用ＲＯＰ情報格納部１６４およびＵＶ色用カラー情報格納部１６５に格納する。また、ＵＶ色図形描画部１５８は、作成した描画データをＵＶ色用印刷イメージ格納部１６７に格納する。
【００４２】
ＵＶ色文字描画部１５９は、ＰＤＬ言語で記述されたＵＶ色指定の文字描画指示に従い、描画データを作成するものである。ＵＶ色文字描画部１５９は、作成途中の情報（描画データおよびＵＶ色指定情報）をＵＶ色用ＲＯＰ情報格納部１６４およびＵＶ色用カラー情報格納部１６５に格納する。また、ＵＶ色文字描画部１５９は、作成した描画データをＵＶ色用印刷イメージ格納部１６７に格納する。
【００４３】
ＵＶ色イメージ描画部１６０は、ＰＤＬ言語で記述されたＵＶ色指定のイメージ描画指示に従い、描画データを作成するものである。ＵＶ色イメージ描画部１６０は、作成途中の情報（描画データおよびＵＶ色指定情報）をＵＶ色用ＲＯＰ情報格納部１６４およびＵＶ色用カラー情報格納部１６５に格納する。また、ＵＶ色イメージ描画部１６０は、作成した描画データをＵＶ色用印刷イメージ格納部１６７に格納する。
【００４４】
印刷部１６８は、通常色用印刷イメージ格納部１６６およびＵＶ色用印刷イメージ格納部１６７に格納された描画データを印刷イメージデータとして受け取り、その印刷イメージデータをＵＶ色用印刷パラメータ格納部１７２に格納されている各色のＵＶトナーの印刷濃度、定着温度、および定着回数に基づいて印刷を行うものである。
印刷部１６８は、給紙部により給紙カセットから印刷媒体を給紙し、画像形成部により印刷媒体にＣＭＹＫの各色の通常トナーおよびＲＧＢの各色のＵＶトナーによるトナー画像を形成し、定着部により印刷媒体に転写されたトナーを所定の温度と圧力で定着し、排出部によりトナーが定着された印刷媒体を外部に排出して印刷を行う。
【００４５】
印刷部１６８は、定着部のヒータへの供給電力を制御して定着温度を制御し、また印刷媒体が定着部を通過する回数を制御して定着回数を制御し、印刷を行う。なお、印刷媒体を搬送する搬送路は、環状に形成された搬送路を含み、搬送路切り替え手段により搬送路を切り替えることで印刷媒体を定着部へ搬送し、所定回数、定着部を通過させることができるようになっている。
すなわち、印刷部１６８は、通常トナーおよびＵＶトナーを所定の濃度で形成したトナー画像を媒体に形成し、そのトナー画像を所定の定着温度で媒体に定着させる定着動作を所定の定着回数行って印刷を行うものである。
【００４６】
調整部としての印刷色調整部１７０は、各色のＵＶトナーの印刷濃度、定着温度、および定着回数のユーザによる設定を制御するものである。印刷色調整部１７０は、操作パネル１０５からＵＶ色を含む画像データの印刷設定の変更指示を受け、所定のフォーマットに基づいて各色のＵＶトナーの印刷濃度が異なる印刷物、定着温度が異なる印刷物、定着回数が異なるサンプルの印刷指示を印刷部１６８へ送信する。
【００４７】
このように、印刷色調整部１７０は、印刷部１６８により、複数色のＵＶトナーの濃度を変化させながら印刷した第１の画像に基づいて第１の設定としての濃度と、定着温度を変化させながら印刷した第２の画像に基づいて第２の設定としての定着温度の設定を受付ける。また、印刷色調整部１７０は、印刷部１６８により、定着回数を変化させながら印刷した第３の画像に基づいて第３の設定としての定着回数の設定を受付ける。
【００４８】
印刷部１６８は、印刷色調整部１７０で設定された濃度で形成したＵＶトナーを含むトナー画像を、印刷色調整部１７０で設定された定着温度および定着回数で媒体に定着させて印刷を行う。
形式情報記憶部としての印刷色調整パターン記憶部１７１は、ＵＶトナーを含む印刷パターンデータを記憶する記憶部である。印刷色調整パターン記憶部１７１は、印刷色調整部１７０からの指示を受けて印刷パターンデータを印刷部１６８へ送信する。
【００４９】
印刷色調整パターン記憶部１７１は、特殊トナーの濃度を変化させた第１の画像の形式を表す第１の形式情報と、定着温度を変化させた第２の画像の形式を表す第２の形式情報と、定着回数を変化させた第３の画像の形式を表す第３の形式情報とを記憶する。
印刷部１６８は、印刷色調整パターン記憶部１７１に記憶された第１の形式情報、第２の形式情報、および第３の形式情報に基づいて特殊トナーの濃度を変化させた第１の画像、定着温度を変化させた第２の画像、および定着回数を変化させた第３の画像の印刷を行う。
【００５０】
設定情報格納部としてのＵＶ色用印刷パラメータ格納部１７２は、印刷色調整部１７０で設定された、各色のＵＶトナーの印刷濃度、定着温度、および定着回数を記憶する記憶部である。ＰＤＬデータ解析部１５１がＰＤＬデータの解析結果からＵＶトナー印刷データが含まれると判断した場合、印刷色調整部１７０は、ユーザの操作により設定され、ＵＶ色用印刷パラメータ格納部１７２に記憶された、各色のＵＶトナーの印刷濃度、定着温度、および定着回数の設定情報を印刷部１６８へ送信する。
【００５１】
ＵＶ色用印刷パラメータ格納部１７２は、所定のフォーマットで印刷されるサンプルに基づいてユーザにより決定された印刷時の各色のＵＶトナーの印刷濃度、定着温度、および定着回数の設定情報を記憶する。
印刷部１６８は、ＵＶ色用印刷パラメータ格納部１７２に記憶されたＵＶトナーの印刷濃度、定着温度、および定着回数の情報に基づいて印刷を行う。
【００５２】
図１の説明に戻る。
Ｅｍａｉｌ機能部１１５は、Ｅｍａｉｌ送受信を制御し、ジョブ管理部１０９から与えられた領域に受信した画像を保存または転送し、またジョブ管理部１０９から与えられた領域に保存された画像をＥｍａｉｌ送信するものである。Ｅｍａｉｌ機能部１１５は、Ｅｍａｉｌ送受信のみに特化した動作を行う。したがって、Ｅｍａｉｌ機能部１１５は、組み合わされる機能によって自らの動作を変えることはしない。なお、Ｅｍａｉｌ機能部１１５は、動作した履歴情報をログ管理部１２０に保存する。
【００５３】
レポート作成機能部１１６は、出力するべきローカルプリントの種別を受け取ることにより、ローカルプリントに必要な印刷用データを生成する。レポート作成機能部１１６は、ローカルプリントに必要な印刷用データとしてログ管理部１２０が保持する様々なログデータを読み出して使用する。読み出したログデータはそのまま印刷することはできないため、レポート作成機能部１１６は、読み出したログデータを印刷できる形式に変換するとともに、見易くなるようにログデータを配置する処理も行う。
【００５４】
アカウント管理部１０８は、ユーザの認証処理を行うためのユーザの情報を保持するものである。ユーザの認証処理は、外部から入力される認証情報Ａと、アカウント管理部１０８に保持されている認証情報Ｂとを照合して指示認識部により行われる。アカウント管理部１０８に保持されている認証情報Ｂは、ユーザを識別するユーザ識別子であり、例えばユーザ名とパスワード、単なる数値、指紋情報、アイリス（虹彩）情報などである。また、アカウント管理部１０８は、認証情報Ｂに関連付けて「ジョブ投入情報」を構成する情報も保持する。なお、ジョブ投入情報は後述する。
【００５５】
権限管理部１１８は、指示認識部で認証処理が終了したユーザに対して許可されている権限、すなわち動作等の要求に対する実行の可否を管理するものである。権限管理部１１８は、認証処理が終了したユーザを識別するユーザ識別子を入力し、入力されたユーザ識別子に関連付けられて記憶された権限を返信する。また、権限管理部１１８は、消耗品の使用量を制限するため、使用量の上限を表す上限値と、現在の残量を表すカウンタ値とを比較し、カウンタ値が上限値を超えない間は継続して動作を許可する役割も有している。
【００５６】
設定値管理部１１９は、画像処理装置１０１の設定値を管理し、設定値の読出しや設定値の変更を受付けるものである。この設定値管理部１１９は、設定値を使用するすべての処理からのアクセスが可能になっている。また、設定値管理部１１９は、永続化機能を有し、画像処理装置１０１の電源の再投入があった場合などにも記憶内容を保持し続けることができるようになっている。
【００５７】
ログ管理部１２０は、ジョブを実行する度に、動作の履歴を履歴データとして保存するものである。ログ管理部１２０は、例えばジョブの実行結果の情報、様々なカウンタ値、ジョブの実行中に処理したデータ等を履歴データとして保存する。
記憶部１２１は、受信したデータの一時保存や送受信するコマンドの保存を行うメモリ等である。この記憶部１２１は、すべての処理からのアクセスが可能になっている。また、記憶部１２１は、永続化機能を有し、画像処理装置１０１の電源の再投入があった場合などにも記憶内容を保持し続けることができるようになっている。
【００５８】
また、記憶部１２１は、画像処理装置１０１全体の動作を制御する制御プログラム（ソフトウェア）等やその制御に一時的に使用される情報等を記憶する。
このように構成された画像処理装置１０１は、ＣＰＵ（Ｃｅｎｔｒａｌ  Ｐｒｏｃｅｓｓｉｎｇ  Ｕｎｉｔ）等の制御手段を備え、記憶部１２１に記憶された制御プログラムに基づいて制御手段により全体の動作が制御される。
【００５９】
ここで、ジョブ投入情報を説明する。
ジョブ投入情報は、ユーザが画像処理装置１０１にジョブを投入する場合に、そのジョブに対して付加される情報である。ジョブ投入時、ユーザは、「ユーザ名」、「パスワード」のような認証情報Ａの他、「投入ジョブ種別」および投入ジョブ種別毎の「設定値」を操作パネル１０５等により入力することになる。
【００６０】
「ユーザ名」および「パスワード」は、通常の認証処理に必要な入力情報である。指示認識部は、入力された「ユーザ名」および「パスワード」と、予め保持しておいた「ユーザ名」および「パスワード」とを照合して画像処理装置１０１の使用を許可されたユーザであるか否かを確認する。
許可されたユーザであれば、アカウント管理部１０８に当該ユーザに関する情報が登録されている。例えば、当該ユーザの「ユーザ所属」、「勤務年数」、「役職」などである。ジョブ投入情報には、これらのユーザに関する情報の中から必要な情報が追加される。
【００６１】
また、画像処理装置１０１に時計（リアルタイムクロック）が搭載されている場合や時刻サーバから時刻を取得するネットワークプロトコルがサポートされている場合、ジョブ投入情報にジョブ投入時の時刻情報なども追加される。
このように、ジョブ投入情報とは、ジョブ投入時に関する様々な情報を集めたものである。
【００６２】
例えば、ジョブ投入情報は、「ユーザ名」、「ユーザ所属」、「勤務年数」、「役職」、「投入ジョブ種別」、「設定値」、「ジョブ投入時の時刻」を有するものである。「投入ジョブ種別」は、ユーザが画像処理装置１０１に対して実行させるジョブの種類を示すものであり、コピー、印刷、ＦＡＸ送信、Ｅｍａｉｌ送信などである。「設定値」は、ジョブ種別がＦＡＸ送信の場合、宛先のＦＡＸ番号、画質等のＦＡＸを送信するために必要な設定情報である。
【００６３】
図３に示すように、例えばジョブ投入情報２００は、ユーザ名２０１と、ユーザ所属２０２と、勤務年数２０３と、役職２０４と、投入ジョブ種別２０５と、設定値（送信先アドレス）２０６と、設定値（ファイル形式）２０７と、ジョブ投入時の時刻２０８とを有している。
ユーザ名２０１は、「Ｙａｍａｄａ」、ユーザ所属２０２は、「開発部」、勤務年数２０３は、「１１」、役職２０４は、「係長」等であり、ユーザ名２０１は、ユーザにより入力され、ユーザ所属２０２、勤務年数２０３、および役職２０４はアカウント管理部１０８に登録されている情報から補完される。
【００６４】
また、投入ジョブ種別２０５は、「Ｅｍａｉｌ送信」、設定値（送信先アドレス）２０６は、「ＡＡＡ＠ｂｂｂ．ｃｃｃ」、設定値（ファイル形式）２０７は、「ＰＤＦ」、ジョブ投入時の時刻２０８は、「１５：０３」等であり、投入ジョブ種別２０５、設定値（送信先アドレス）２０６、および設定値（ファイル形式）２０７は、ジョブ実行時にユーザにより入力され、ジョブ投入時の時刻２０８は、時計等から得られる時刻情報から画像処理装置１０１により補完される。
【００６５】
上述した構成の作用について説明する。
まず、ユーザによって行われる画像処理装置の印刷条件の設定を図４の第１の実施例における印刷設定のサンプル画像の説明図に基づいて図１および図２を参照しながら説明する。
ユーザは、画像処理装置１０１の操作パネル１０５を操作してＵＶ色印刷設定を調整する命令を実行し、以下に示す３段階の工程から最適な印刷条件を設定する。
【００６６】
１段階目の工程（ステップ）では、ＵＶトナーの濃度を設定する。図４（ａ）は、ＵＶトナー濃度が異なるＵＶトナー画像を印刷するサンプル画像（第１の画像）を示し、このサンプル画像のパターン（形式）は第１の形式情報として印刷色調整パターン記憶部１７１に記憶されている。
印刷色調整部１７０の指示によって画像処理装置１０１に少なくとも１つ内装され、ＵＶトナーを装填した現像装置により図４（ａ）に示すサンプル画像、例えば赤色（Ｒ）のＵＶトナー、緑色（Ｇ）のＵＶトナー、青色（Ｂ）のＵＶトナー毎に、濃度（例えば、印刷デューティーである印刷画素の割合）１０％、２０％、４０％、６０％、８０％、１００％のサンプル画像が媒体に印刷される。
【００６７】
なお、本実施例では、画像処理装置１０１に、赤色（Ｒ）のＵＶトナー、緑色（Ｇ）のＵＶトナー、青色（Ｂ）のＵＶトナーを装填した３つの現像装置を有するものとする。
ユーザは、印刷されたサンプル画像から使用媒体および使用目的に応じたＵＶトナーの発光具合やグロス（光沢）を判断し、紙面上のＵＶトナーの濃度を決定し、設定する。
本実施例では、ＵＶトナーの濃度は、ＲＧＢの各色で共通の濃度として説明するが、各色で異なる濃度としても良い。
【００６８】
２段階目の工程では、定着温度を設定する。図４（ｂ）は、画像処理装置１０１に内装された複数の通常色（有色）トナー４１上に、ＲＧＢの各色で形成されたＵＶトナー４２が印刷されたパターン画像（第２の画像）を示している。この画像のパターン（形式）は第２の形式情報として印刷色調整パターン記憶部１７１に記憶されている。ＵＶトナーの印刷濃度は、１段階目の工程で設定された濃度で印刷される。
【００６９】
パターン画像は、例えばユーザが使用する媒体の厚み応じた標準的な定着温度（標準温度設定）でまず印刷され、次に通常色（有色）トナーが印刷された通常色（有色）トナー印刷部とＵＶトナーが印刷されたＵＶトナー印刷部とのグロス差が大きくなる定着温度設定（高グロス差設定）で印刷されたパターン画像、および通常色（有色）トナー印刷部とＵＶトナー印刷部とのグロス差が小さくなる定着温度設定（低グロス差設定）で印刷されたパターン画像が同時に印刷される。即ち、標準温度設定、高グロス差設定、および低グロス差設定の定着温度で３枚のパターン画像が印刷される。
【００７０】
定着温度とグロスの関係は、例えば図５（ａ）に示すように、通常トナーは定着温度により大きな変化はないが、ＵＶトナーは定着温度を高くし、所定の定着温度を超えるとグロスが通常トナーより高くなる傾向にある。
ユーザは、印刷されたパターン画像からＵＶトナーの定着温度を決定し、設定する。
３段階目の工程では、定着回数を設定する。３段階目の工程では、図４（ｂ）に示すパターン画像（第３の画像）を１段階目の工程で設定された定着濃度および２段階目の工程で設定された定着温度で定着回数を少なくとも２回として印刷される。この画像のパターン（形式）は第３の形式情報として印刷色調整パターン記憶部１７１に記憶されている。
【００７１】
なお、定着回数は、２回以上とするが、装置の状況に応じて定着回数の上限を決定するものとする。また、２段階目および３段階目の工程で印刷されるパターン画像（第２の画像および第３の画像）は同じ画像であるが、異なる画像としても良い。
定着回数とグロスの関係は、例えば図５（ｂ）に示すように、ＵＶトナーは定着回数の増加に伴って緩やかにグロスが高くなり、通常トナーは定着回数の増加に伴ってＵＶトナーのグロスに近づいていく傾向がある。
ユーザは、印刷されたパターン画像からＵＶトナーの定着回数を決定し、設定する。
【００７２】
上述した３段階の工程で設定されたＵＶトナー濃度、定着温度および定着回数は、ＵＶ色用印刷パラメータ格納部１７２に格納される。
また、ＵＶトナー濃度、定着温度および定着回数の設定は、画像処理装置１０１の操作パネル１０５を操作し、または画像処理装置１０１の記憶部１２１に格納されたＷｅｂページを通信回線で接続されたホストコンピュータのブラウザに表示して行う。さらに、画像処理装置１０１に添付されたユーティリティプログラムをホストコンピュータで動作させて行うようにしても良い。
【００７３】
次に、画像処理装置が行う印刷ジョブ処理を図６の第１の実施例における印刷ジョブ処理の流れを示すフローチャートの図中Ｓで表すステップに従って図１を参照しながら説明する。
ユーザが画像処理装置１０１に対してジョブ処理の要求を入力する方法は、大きく２つ存在する。１つ目は、パーソナルコンピュータ（以下、「ＰＣ」という。）等の外部の装置からネットワークやＵＳＢケーブルなどの通信回線を介してジョブを入力する方法である。例えば、ＰＣからプリンタドライバを使用した通常の印刷、ＰＣからユーティリティソフトウェアを使用した設定値の変更、ＰＣからＷＥＢページを使用した画像処理装置１０１の状態監視等が該当する。
【００７４】
２つ目は、操作パネル１０５からジョブを入力する方法である。例えば、操作パネル１０５を操作して行う、コピー、原稿をスキャンしてＥｍａｉｌ送信、原稿をスキャンして外部のサーバへファイル転送、ＦＡＸ送信等が該当する。
本実施例では、ＰＣ等の外部装置から印刷を指示（要求）するジョブである印刷ジョブを入力するものとして説明する。
【００７５】
Ｓ１０１：画像処理装置１０１の通信部１０２および通信制御部１０３は、ＰＣ等の外部装置からデータを受信する。
Ｓ１０２：通信制御部１０３は、受信したデータを通信指示認識部１０４へ転送する。転送するデータは、ＰＣからの印刷という印刷ジョブであり、以下の処理では、「ＰＣＰｒｉｎｔ」という要求識別子で扱う。
【００７６】
Ｓ１０３：通信指示認識部１０４は、設定値管理部１１９から認証設定値を読み出す。認証設定値とは、ユーザの認証を行うか否かを決定する設定値である。昨今、画像処理装置１０１の印刷部１６８が消費する消耗品のランニングコストはあまり安価でないため、費用の都合により使用者を限定する場合がある。また、画像処理装置１０１は、Ｅｍａｉｌ送信やＦＡＸ送信等情報転送機能を有していたり、原稿をコピーする機能を有したりしているため、情報の流出を制限するためにも使用者を限定する場合がある。したがって、ユーザの認証を行うことにより、画像処理装置１０１の使用者を制限することができることができるようになっている。
【００７７】
認証設定値はユーザが設定することが可能になっているが、一般に管理者と呼ばれるユーザが定義されており、その管理者が認証設定値を変更する権限を有している。認証設定値を変更する権限は、例えば管理者専用のアカウントに付与される。
Ｓ１０４：通信指示認識部１０４は、読み出した認証設定値を判定し、認証設定値が「ＯＮ」、即ち「認証する」であると判定すると認証処理を行うため処理をＳ１０５へ移行し、「ＯＦＦ」、即ち「認証しない」であると判定すると認証処理を行うことなく処理をＳ１０８へ移行する。
【００７８】
Ｓ１０５：通信指示認識部１０４は、受信したデータから認証情報Ａを読み出す。認証情報Ａは、ジョブを入力するユーザを識別するための情報である。認証情報Ａには、上述したように種々の認証情報が存在するが、本実施例では、認証情報Ａを「ユーザ名」と「パスワード」として説明する。「ユーザ名」と「パスワード」は、ペアとして扱い、「ユーザ名」は公開する値であり、「パスワード」は非公開の値である。また、「ユーザ名」はユーザの識別子であるので重複登録はできないが、「パスワード」は重複登録可能である。
【００７９】
Ｓ１０６：通信指示認識部１０４は、アカウント管理部１０８から登録済みの認証情報Ｂを読み出す。認証処理は、登録済みの認証情報と、ジョブ入力時に一緒に入力される認証情報との比較により行うため、予め使用を許可するユーザの認証情報を登録しておく必要がある。本実施例では、あらかじめ登録しておく認証情報を認証情報Ｂとする。認証情報Ｂの種類は、認証情報Ａと同じ種類であるが、意味合いが異なる。例えば、認証情報Ａを生徒が記入したテストの答案とするならば、認証情報Ｂは正解が記載された解答用紙である。
【００８０】
Ｓ１０７：通信指示認識部１０４は、認証情報Ａと認証情報Ｂとを比較し、一致するか否かを判定し、一致すると判定すると処理をＳ１０８へ移行し、一致しないと判定すると本処理を終了する。
通信指示認識部１０４は、認証情報Ａと認証情報Ｂとが一致すると判定すると、認証処理が成功したためジョブを入力したユーザを登録済みのユーザと認め、入力されたジョブを実行するため処理をＳ１０８へ移行する。一方、通信指示認識部１０４は、認証情報Ａと認証情報Ｂとが一致しないと判定すると、認証処理が失敗したためジョブを入力したユーザを登録済みのユーザと認めず、入力されたジョブを拒否するため本処理を終了する。
【００８１】
Ｓ１０８：通信指示認識部１０４は、入力されたジョブをユーザの要求（印刷ジョブ）としてジョブ管理部１０９に通知する。なお、本実施例では、ユーザの要求を「ＰＣからの印刷（ＰＣＰｒｉｎｔ）」として説明する。
Ｓ１０９：ジョブ管理部１０９は、ユーザの要求を実行するために必要な機能を機能管理部１１０に要求する。ジョブ管理部１０９は、ユーザの要求である「ＰＣからの印刷」機能を「ＰＣＰｒｉｎｔ」という内部の表現形式で認識し、この要求に必要な機能を「印刷をする処理」であると内部情報から読み出す。ジョブ管理部１０９は、この要求が画像処理装置１０１内部で処理され、完了するタイミングを監視し、その管理を行う。ジョブ管理部１０９は、管理する「ＰＣからの印刷」を実行するために必要な機能を機能管理部１１０に問い合わせる。
【００８２】
Ｓ１１０：機能管理部１１０は、要求された機能の空き状況を確認し、可能ならば当該機能を要求された本ジョブ用に割り当てる。
本実施例では、機能管理部１１０は、印刷機能部１１４を割り当てる。例えば、印刷機能部１１４が使用中であった場合、機能管理部１１０は、印刷機能部１１４が処理を終了し次第、印刷機能部１１４を本要求の「ＰＣからの印刷」に割り当てる動作を行う。
【００８３】
Ｓ１１１：機能管理部１１０は、割り当てた印刷機能部１１４にジョブ実行に必要な情報を渡し、処理の開始を指示する。機能管理部１１０は、通信部１０２、通信制御部１０３、通信指示認識部１０４、およびジョブ管理部１０９を経由して渡されたデータを印刷機能部１１４に渡す。
Ｓ１１２：印刷機能部１１４は、渡されたデータを印刷する処理を行う。なお、処理の詳細は後述する。
【００８４】
Ｓ１１３：印刷機能部１１４は、渡されたデータを印刷する処理が完了すると、処理の結果を機能管理部１１０へ通知する。
Ｓ１１４：機能管理部１１０は、通知された結果をジョブ管理部１０９へ通知する。
Ｓ１１５：ジョブ管理部１０９は、通知された結果をパネル指示認識部１０７へ通知する。
Ｓ１１６：パネル指示認識部１０７は、通知された結果を、パネル制御部１０６を経由して操作パネル１０５に表示し、本処理を終了する。
【００８５】
次に、印刷機能部１１４が行う印刷処理を図７の第１の実施例における印刷処理の流れを示すフローチャートの図中Ｓで表すステップに従って図２を参照しながら説明する。
Ｓ２０１：印刷機能部１１４は、バッファ領域としての中間コード格納部１６１、通常色用ＲＯＰ情報格納部１６２、通常色用カラー情報格納部１６３、ＵＶ色用ＲＯＰ情報格納部１６４、ＵＶ色用カラー情報格納部１６５、通常色用印刷イメージ格納部１６６、およびＵＶ色用印刷イメージ格納部１６７を初期化する。
【００８６】
印刷機能部１１４は、ＰＤＬデータ解析部１５１および描画処理部１５３で情報を共有するためのバッファ管理部である中間コード格納部１６１を初期化し、描画処理部１５３および印刷部１６８で情報を共有するためのバッファ管理部である通常色用印刷イメージ格納部１６６およびＵＶ色用印刷イメージ格納部１６７を初期化し、通常色図形描画部１５５、通常色文字描画部１５６、および通常色イメージ描画部１５７の作業領域として使用される通常色用ＲＯＰ情報格納部１６２および通常色用カラー情報格納部１６３と、ＵＶ色図形描画部１５８、ＵＶ色文字描画部１５９、およびＵＶ色イメージ描画部１６０の作業領域として使用されるＵＶ色用ＲＯＰ情報格納部１６４、ＵＶ色用カラー情報格納部１６５とを順に初期化する。
【００８７】
Ｓ２０２：ＰＤＬデータ解析部１５１は、ＰＤＬデータ受信部１５０から受信したＰＤＬデータを解析し、ＰＤＬデータのコマンドの内容により各処理を行う。
ＰＤＬデータ解析部１５１は、通常色（可視光領域を表現した色であり、赤（Ｒ）、緑（Ｇ）、青（Ｂ）で表現される）の図形、文字、イメージ画像、およびＵＶ色の図形、文字、イメージ画像、並びにパターンなどの印刷命令と、印刷時に使用するテーブルデータ（カラー情報、ＲＯＰ情報）の変更命令を識別する。
【００８８】
ＰＤＬデータ解析部１５１は、ＰＤＬデータが通常色の図形、文字、イメージ画像の印刷命令の場合、処理をＳ２０３へ移行し、ＰＤＬデータがＵＶ色の図形、文字、イメージ画像の印刷命令の場合、処理をＳ２０７へ移行し、ＰＤＬデータがパターン処理命令の場合、処理をＳ２０９へ移行し、ＰＤＬデータが通常色カラー情報更新命令の場合、処理をＳ２１１へ移行し、ＰＤＬデータが通常色ＲＯＰ情報更新命令の場合、処理をＳ２１２へ移行し、ＰＤＬデータがＵＶ色カラー情報更新命令の場合、処理をＳ２１３へ移行し、ＰＤＬデータがＵＶ色ＲＯＰ情報更新命令の場合、処理をＳ２１４へ移行する。
なお、ＰＤＬデータ解析部１５１は、解析した結果、ＰＤＬデータ（印刷するデータも含む）以外のデータは受け捨てる。
【００８９】
Ｓ２０３：ＰＤＬデータ解析部１５１は、通常色の印刷命令の場合、カラーマッチングを行う必要があるため、カラーマッチング処理部１５２にカラーマッチング処理を依頼する。また、ＵＶ色も機器やトナーに特徴がある場合、カラーマッチング処理を行う。ただし、ＵＶ色はＹＭＣＫ（Ｙ：黄色、Ｍ：マゼンタ色、Ｃ：シアン色、Ｋ：黒色）への色空間変換は行わない。
Ｓ２０４：ＰＤＬデータ解析部１５１は、ＰＤＬ命令を解釈し、図形、文字、イメージ画像ごとに通常色カラー用中間コード（ディスプレイリスト）を生成する。ＰＤＬデータ解析部１５１は、生成した中間コードを中間コード格納部１６１に格納する。
【００９０】
Ｓ２０５：ＰＤＬデータ解析部１５１は、ＰＤＬ命令を解釈し、図形、文字、イメージ画像ごとに通常色ＲＯＰ用中間コード（ディスプレイリスト）を生成する。ＰＤＬデータ解析部１５１は、生成した中間コードを中間コード格納部１６１に格納する。
Ｓ２０６：ＰＤＬデータ解析部１５１は、通常色用カラー情報格納部１６３に格納されたカラー情報および通常色用ＲＯＰ情報格納部１６２に格納されたＲＯＰ情報を考慮して図形、文字、イメージ画像それぞれを表す中間コードを生成し、処理をＳ２１５へ移行する。なお、ＰＤＬデータ解析部１５１は、生成した中間コードを中間コード格納部１６１に格納する。
【００９１】
Ｓ２０７：ＰＤＬデータ解析部１５１は、ＰＤＬ命令を解釈し、図形、文字、イメージ画像ごとにＵＶ色カラー用中間コード（ディスプレイリスト）を生成する。ＰＤＬデータ解析部１５１は、生成した中間コードを中間コード格納部１６１に格納する。
Ｓ２０８：ＰＤＬデータ解析部１５１は、ＰＤＬ命令を解釈し、図形、文字、イメージ画像ごとにＵＶ色ＲＯＰ用中間コード（ディスプレイリスト）を生成する。ＰＤＬデータ解析部１５１は、生成した中間コードを中間コード格納部１６１に格納し、処理をＳ２０６へ移行する。
【００９２】
Ｓ２０９：ＰＤＬデータ解析部１５１は、指定されたパターンデータを特定するパターン処理を行う。
Ｓ２１０：ＰＤＬデータ解析部１５１は、指定されたパターンデータに応じて中間コードを生成し、処理をＳ２１５へ移行する。なお、ＰＤＬデータ解析部１５１は、生成した中間コードを中間コード格納部１６１に格納する。
【００９３】
Ｓ２１１：ＰＤＬデータ解析部１５１は、通常色用カラー情報格納部１６３に格納されたカラー情報を更新し、処理をＳ２１５へ移行する。
Ｓ２１２：ＰＤＬデータ解析部１５１は、通常色用ＲＯＰ情報格納部１６２に格納されたＲＯＰ情報を更新し、処理をＳ２１５へ移行する。
Ｓ２１３：ＰＤＬデータ解析部１５１は、ＵＶ色用カラー情報格納部１６５に格納されたカラー情報を更新し、処理をＳ２１５へ移行する。
【００９４】
Ｓ２１４：ＰＤＬデータ解析部１５１は、ＵＶ色用ＲＯＰ情報格納部１６４に格納されたＲＯＰ情報を更新し、処理をＳ２１５へ移行する。
Ｓ２１５：ＰＤＬデータ解析部１５１は、解析するＰＤＬデータが終了したか否かを判定し、終了したと判定すると処理をＳ２１６へ移行し、終了していないと判定すると処理をＳ２０２へ移行し、ＰＤＬデータの解析を継続する。
以上の処理でＰＤＬデータの解析処理を終了すると、ＰＤＬデータの解析結果として中間データが中間コード格納部１６１に格納された状態となる。
【００９５】
Ｓ２１６：描画処理部１５３は、中間コード判別部１５４により、中間コード格納部１６１から順に中間コードを読み出して解析し、中間コードの内容に応じてそれぞれの処理に割り振る。
描画処理部１５３は、中間コードが通常色の図形、文字、イメージ画像の描画命令の場合、またはＵＶ色の図形、文字、イメージ画像の描画命令の場合、処理をＳ２１７へ移行し、中間コードがパターン情報登録命令の場合、処理をＳ２２０へ移行し、中間コードが通常色カラー情報登録命令の場合、処理をＳ２２１へ移行し、中間コードが通常色ＲＯＰ情報登録命令の場合、処理をＳ２２２へ移行し、中間コードがＵＶ色カラー情報登録命令の場合、処理をＳ２２３へ移行し、中間コードがＵＶ色ＲＯＰ情報登録命令の場合、処理をＳ２２４へ移行する。
【００９６】
描画処理部１５３は、通常色の図形、文字、イメージ画像、およびＵＶ色の図形、文字、イメージ画像、並びにパターンなどの描画命令と、印刷時に使用するテーブルデータ（カラー情報、ＲＯＰ情報）の登録命令を識別する。
描画処理部１５３は、通常色の図形の描画命令であれば通常色図形描画部１５５に、通常色の文字の描画命令であれば通常色文字描画部１５６に、通常色のイメージ画像の描画命令であれば通常色イメージ描画部１５７に処理を依頼する。
【００９７】
また、描画処理部１５３は、ＵＶ色の図形の描画命令であればＵＶ色図形描画部１５８に、ＵＶ色の文字の描画命令であればＵＶ色文字描画部１５９に、ＵＶ色のイメージ画像の描画命令であればＵＶ色イメージ描画部１６０に処理を依頼する。
さらに、描画処理部１５３は、それぞれの描画処理で使用するテーブルデータの登録命令の場合であって、通常色で対象が図形であれば通常色図形描画部１５５に、文字であれば通常色文字描画部１５６に処理を依頼する。同様に、ＵＶ色で対象が図形であればＵＶ色図形描画部１５８に、文字であればＵＶ色文字描画部１５９に処理を依頼する。
【００９８】
Ｓ２１７：中間コード判別部１５４は、中間コード格納部１６１から中間コードを読み出し、色情報と、図形、文字、イメージ画像の区別を描画処理部１５３に渡す。
Ｓ２１８：描画処理部１５３は、通常色の図形、文字、またはイメージ画像が渡された場合、図形の描画命令であれば通常色図形描画部１５５に、文字の描画命令であれば通常色文字描画部１５６に、イメージ画像の描画命令であれば通常色イメージ描画部１５７に処理を依頼し、実行させる。描画命令により作成された描画データは、通常色用印刷イメージ格納部１６６に格納される。
【００９９】
Ｓ２１９：描画処理部１５３は、ＵＶ色の図形、文字、またはイメージ画像が渡された場合、図形の描画命令であればＵＶ色図形描画部１５８に、文字の描画命令であればＵＶ色文字描画部１５９に、イメージ画像の描画命令であればＵＶ色イメージ描画部１６０に処理を依頼して実行させ、処理をＳ２２５へ移行する。描画命令により作成された描画データは、ＵＶ色用印刷イメージ格納部１６７に格納される。
【０１００】
Ｓ２２０：中間コード判別部１５４は、中間コードから読み出した描画対象がパターンであった場合、パターン情報を描画処理部１５３に登録し、処理をＳ２２５へ移行する。なお、通常、中間コード内はカラー情報、ＲＯＰ情報、描画対象がセットになって記述されているが、単独で指定されている場合、本処理は必要ない。
【０１０１】
Ｓ２２１：中間コード判別部１５４は、中間コードから読み出した描画対象が通常色カラー情報であった場合、その通常色カラー情報を描画処理部１５３に登録し、処理をＳ２２５へ移行する。
Ｓ２２２：中間コード判別部１５４は、中間コードから読み出した描画対象が通常色ＲＯＰ情報であった場合、その通常色ＲＯＰ情報を描画処理部１５３に登録し、処理をＳ２２５へ移行する。
【０１０２】
Ｓ２２３：中間コード判別部１５４は、中間コードから読み出した描画対象がＵＶ色カラー情報であった場合、そのＵＶ色カラー情報を描画処理部１５３に登録し、処理をＳ２２５へ移行する。
Ｓ２２４：中間コード判別部１５４は、中間コードから読み出した描画対象がＵＶ色ＲＯＰ情報であった場合、そのＵＶ色ＲＯＰ情報を描画処理部１５３に登録し、処理をＳ２２５へ移行する。
【０１０３】
Ｓ２２５：中間コード判別部１５４は、中間コードが終了したか否かを判定し、終了したと判定すると処理をＳ２２６へ移行し、終了していないと判定すると処理をＳ２１６へ移行し、中間コードの解析を継続する。
Ｓ２２６：印刷機能部１１４は、印刷部１６８により、通常色用印刷イメージ格納部１６６およびＵＶ色用印刷イメージ格納部１６７に格納された印刷イメージデータをＵＶ色用印刷パラメータ格納部１７２に格納されている各色のＵＶトナーの印刷濃度、定着温度、および定着回数に基づいて印刷を行い、本処理を終了する。
【０１０４】
このように、本実施例では、ユーザにより設定されたＵＶトナーの印刷濃度、定着温度、および定着回数に基づいてＵＶトナーおよび通常トナーを使用した印刷を行うようにしたことにより、ユーザ所望の印刷結果を得ることができる。
ＵＶトナーの印刷濃度、定着温度、および定着回数をユーザにより設定できるようにしたことにより、ユーザの印刷結果の使用目的、例えばセキュリティ性の付与、デザイン性の付与等、に適した印刷を行うことができる。
また、ＵＶトナーの消費量を抑えつつ効果的な印刷を行うことができる。
【０１０５】
なお、各色のＵＶトナーの印刷濃度を同じ印刷濃度として設定しても良く、色毎にＵＶトナーの印刷濃度を設定するようにしても良い。
以上説明したように、第１の実施例では、ユーザにより設定されたＵＶトナーの印刷濃度、定着温度、および定着回数に基づいてＵＶトナーおよび通常トナーを使用した印刷を行うようにしたことにより、透明トナーを使用する印刷において、ユーザ所望の印刷結果を得ることができるという効果が得られる。
【０１０６】
すなわち、印刷結果にセキュリティ性の付与、またはデザイン性の付与等を行うことができ、ユーザの印刷結果の使用目的に適した印刷を行うことができるという効果が得られる。
また、透明トナーの消費量を抑えつつ効果的な印刷を行うことができるという効果が得られる。
【実施例２】
【０１０７】
通常トナーによる各色の下地とＵＶトナーとを重ね合わせて印刷したＵＶ印刷結果を確認する場合、紫外線をＵＶ印刷結果にあてて確認する必要があるが、ユーザ環境によってその紫外線の強さや波長が異なることが多く、ユーザ所望のＵＶ印刷結果を得ることが難しいという問題がある。
そこで、第２の実施例では、各ユーザ環境に最適なＵＶ印刷を行うため、通常トナーによる各色の下地と濃度を少しずつ変化させたＵＶトナーとを重ね合わせたテストパターンを印刷し、ユーザ環境に最適なＵＶトナーの濃度を選択できるようにしている。
【０１０８】
なお、第２の実施例の構成は、上述した第１の実施例と同様なので同一の符号を付してその説明を省略する。
第２の実施例の作用について説明する。
ユーザによって行われる画像処理装置の印刷条件の設定を図８の第２の実施例における印刷設定の説明図に基づいて図１および図２を参照しながら説明する。
【０１０９】
Ｓ３０１：ユーザは、画像処理装置１０１に対してＵＶ濃度判断用のテストパターンの印刷を指示する命令を実行する。テストパターンの印刷の指示は、画像処理装置１０１の操作パネル１０５を操作し、または画像処理装置１０１の記憶部１２１に格納されたＷｅｂページを通信回線で接続されたホストコンピュータのブラウザに表示して行う。さらに、画像処理装置１０１に添付されたユーティリティプログラムをホストコンピュータで動作させて行うようにしても良い。
Ｓ３０２：ＵＶ濃度判断用のテストパターンの印刷の指示を受けた画像処理装置１０１は、ＵＶ濃度判断用のテストパターン（第１の画像）を印刷する。
【０１１０】
Ｓ３０３：ユーザは、画像処理装置１０１が印刷したテストパターンを持ち、印刷物を閲覧する環境下に移動し、その環境下でテストパターンを確認して最適なＵＶトナーの濃度を判断する。
ユーザがＵＶトナーを使用したＵＶ印刷を行う場合、その印刷結果を閲覧する場所が限られる場合がある。そのような場合、通常光の強さ、ＵＶ光（紫外光）の強さ、使用する媒体などが決まっていることがある。ユーザは、このような環境の下で最も適した印刷結果となるＵＶ印刷を行うため、ＵＶトナーの濃度を決定し、設定する。
なお、印刷結果を閲覧する場所とは、印刷を行った場合に、その印刷結果を閲覧する機会が最も多い場所を意味するものとする。
【０１１１】
画像処理装置１０１が印刷するテストパターン（第１の画像）を図９の第２の実施例における印刷設定のテストパターンの説明図に基づいて説明する。
本実施例のテストパターン８０は、通常トナーによる下地パターン８１（通常トナーで形成された複数色の画像）に、ＵＶ（Ｒｅｄ：赤）トナー、ＵＶ（Ｇｒｅｅｎ：緑）トナー、およびＵＶ（Ｂｌｕｅ：青）トナーによる各濃度（例えば、１００％、８０％、６０％、４０％、２０％）のパターン８２（特殊トナーの濃度を変化させた画像）を重ね合わせたパターン８３で構成されている。したがって、本実施例のテストパターン８０は、３種類のＵＶトナーについて５種類の濃度のパターン８２を下地パターン８１に重ね合わせて生成されている。
【０１１２】
通常トナーによる下地パターン８１は、通常トナーにより形成されたパターンであり、例えば白色、黒色、青色、赤色、黄色の５色のパターンを並べて配置したものである。なお、通常トナーによる下地パターン８１は、白色、黒色、青色、赤色、黄色の５色以外の色のパターンを含むようにしても良い。
ＵＶトナーによるパターン８２は、ＵＶ（Ｒｅｄ）トナー、ＵＶ（Ｇｒｅｅｎ）トナー、およびＵＶ（Ｂｌｕｅ）トナーにより、各濃度（１００％、８０％、６０％、４０％、２０％）で形成されたパターンである。
【０１１３】
ユーザは、テストパターン８０を観察することにより、印刷物（結果印刷）を閲覧する場所において所望の印刷結果が得られるように、下地となる各色の通常トナーに対し、ＵＶトナーの濃度を判断することができる。
なお、色毎に印刷するＵＶトナーの濃度は、２０％毎に限定されるものでなく、１０％毎としても良い。
【０１１４】
また、本実施例では、通常トナーで下地パターンを形成し、ＵＶトナーで上地パターンを形成するようにしたが、それに限られることなく、ＵＶトナーで下地パターンを形成し、通常トナーで上地パターンを形成するようにしても良い。このようにすることにより、ＵＶトナーが下地、通常トナーが上地となった場合のＵＶトナーの濃度の決定を行うことができるようになる。
【０１１５】
Ｓ３０４：ユーザは、決定した最適なＵＶトナーの濃度を、ＵＶトナーの色毎に、画像処理装置１０１に設定する。ＵＶトナーの濃度の設定は、画像処理装置１０１の操作パネル１０５を操作し、または画像処理装置１０１の記憶部１２１に格納されたＷｅｂページを通信回線で接続されたホストコンピュータのブラウザに表示して行う。さらに、画像処理装置１０１に添付されたユーティリティプログラムをホストコンピュータで動作させて行うようにしても良い。
【０１１６】
設定されたＵＶトナーの色毎のＵＶトナー濃度は、ＵＶ色用印刷パラメータ格納部１７２に格納される。
このように、本実施例では、通常トナーによる各色の下地と、濃度を少しずつ変化させたＵＶトナーとを重ね合わせたテストパターンを印刷するようにしたことにより、ユーザはユーザ環境に最適なＵＶトナーの濃度を選択することができるようになる。
【０１１７】
以上説明したように、第２の実施例では、第１の実施例の効果に加え、ユーザはユーザ環境に最適なＵＶトナーの濃度を選択することができるようになるという効果が得られる。
なお、第１の実施例および第２の実施例では、画像処理装置を複合機として説明したが、それに限られることなく、透明トナーを使用するものであれば、プリンタ、またはファクシミリ装置等としても良い。
【符号の説明】
【０１１８】
１０１  画像処理装置
１０２  通信部
１０３  通信制御部
１０４  通信指示認識部
１０５  操作パネル
１０６  パネル制御部
１０７  パネル指示認識部
１０８  アカウント管理部
１０９  ジョブ管理部
１１０  機能管理部
１１１  スキャナ機能部
１１２  ＦＡＸ機能部
１１３  媒体アクセス機能部
１１４  印刷機能部
１１５  Ｅｍａｉｌ機能部
１１６  レポート作成機能部
１１８  権限管理部
１１９  設定値管理部
１２０  ログ管理部
１２１  記憶部
１５３  描画処理部
１５５  通常色図形描画部
１５６  通常色文字描画部
１５７  通常色イメージ描画部
１５８  ＵＶ色図形描画部
１５９  ＵＶ色文字描画部
１６０  ＵＶ色イメージ描画部
１６６  通常色用印刷イメージ格納部
１６７  ＵＶ色用印刷イメージ格納部
１６８  印刷部
１７０  印刷色調整部
１７１  印刷色調整パターン記憶部
１７２  ＵＶ色用印刷パラメータ格納部
【図１】
0006526544.tif 000002
【図２】
0006526544.tif 000003
【図３】
0006526544.tif 000004
【図４】
0006526544.tif 000005
【図５】
0006526544.tif 000006
【図６】
0006526544.tif 000007
【図７】
0006526544.tif 000008
【図８】
0006526544.tif 000009
【図９】
0006526544.tif 000010